(57)【要約】【課題】スイートスポット高さを低く維持することと大きい縦慣性モーメント確保することを両立することが可能なウッド型ゴルフクラブヘッド、および当該ウッド型ゴルフクラブヘッドを備えたウッド型ゴルフクラブを提供する。【解決手段】規定のライ角にてソール部１４を基準面βに接地させた状態において、基準面βに投影されるヘッド１の投影像に対して、フェース部側線分８１と、バック側線分８２と、ヒール側線分８３と、トゥ側線分８４とを含む長方形領域を設定し、当該長方形領域を９個の合同な要素長方形領域に分割する。このとき、フェース部側中央長方形領域９１に対応するソール部１４の質量およびバック側中央長方形領域９２に対応するソール部１４の質量の各々は、トゥ側中央長方形領域９３、ヒール側中央長方形領域９５および中央長方形領域９４の各々に対応するソール部１４の質量よりも大きくなっている。【選択図】図６
2010099408.tif 000002
【特許請求の範囲】
【請求項１】
打球面を有するフェース部と、前記フェース部に接続されたソール部と、シャフトに接続されるべきホーゼル部とを備えたウッド型ゴルフクラブヘッドであって、
規定のライ角にて前記ソール部を基準面に接地させた状態において、前記基準面に投影される前記ゴルフクラブヘッドの投影像における、前記基準面に投影されたシャフト中央線に平行であって前記基準面に投影された前記フェース部に接するフェース部側線分と、前記フェース部側線分とは反対側のバック側に接するバック側線分と、前記基準面に投影されたシャフト中央線に直交し、前記基準面に投影された前記ホーゼル部と本体部との接続部を通るヒール側線分と、前記ヒール側線分とは反対側のトゥ側に接するトゥ側線分とを含む長方形領域を設定し、前記長方形領域を前記フェース部側線分に平行な２本の線分および前記ヒール側線分に平行な２本の線分により９個の合同な要素長方形領域に分割した場合、前記要素長方形領域のうち中央に位置する中央長方形領域から見て前記フェース部側中央に位置するフェース部側中央長方形領域に対応する前記ソール部の質量および前記フェース部側とは反対側であるバック側中央に位置するバック側中央長方形領域に対応する前記ソール部の質量の各々は、前記中央長方形領域から見てトゥ側中央に位置するトゥ側中央長方形領域、前記中央長方形領域から見てヒール側中央に位置するヒール側中央長方形領域および前記中央長方形領域の各々に対応する前記ソール部の質量よりも大きくなっている、ウッド型ゴルフクラブヘッド。
【請求項２】
前記フェース側中央長方形領域に対応する前記ソール部の質量および前記バック側中央長方形領域に対応する前記ソール部の質量の各々は、前記トゥ側中央長方形領域、前記ヒール側中央長方形領域および前記中央長方形領域の各々に対応する前記ソール部の質量に比べて５ｇ以上５０ｇ以下だけ大きくなっている、請求項１に記載のウッド型ゴルフクラブヘッド。
【請求項３】
打球面を有するフェース部と、前記フェース部に接続されたソール部と、シャフトに接続されるべきホーゼル部とを備えたウッド型ゴルフクラブヘッドであって、
規定のライ角にて前記ソール部を基準面に接地させた状態において、前記基準面に投影される前記ゴルフクラブヘッドの投影像における、前記基準面に投影されたシャフト中央線に平行であって前記基準面に投影された前記フェース部に接するフェース部側線分と、前記フェース部側線分とは反対側のバック側に接するバック側線分と、前記基準面に投影されたシャフト中央線に直交し、前記基準面に投影された前記ホーゼル部と本体部との接続部を通るヒール側線分と、前記ヒール側線分とは反対側のトゥ側に接するトゥ側線分とを含む長方形領域を設定し、前記長方形領域を前記フェース部側線分に平行な２本の線分および前記ヒール側線分に平行な２本の線分により９個の合同な要素長方形領域に分割した場合、前記要素長方形領域のうち中央に位置する中央長方形領域から見て前記フェース部側中央に位置するフェース部側中央長方形領域に対応する前記ソール部の最大肉厚および前記フェース部側とは反対側であるバック側中央に位置するバック側中央長方形領域に対応する前記ソール部の最大肉厚の各々は、前記中央長方形領域から見てトゥ側中央に位置するトゥ側中央長方形領域、前記中央長方形領域から見てヒール側中央に位置するヒール側中央長方形領域および前記中央長方形領域の各々に対応する前記ソール部の最大肉厚よりも大きくなっている、ウッド型ゴルフクラブヘッド。
【請求項４】
前記フェース側中央長方形領域に対応する前記ソール部の最大肉厚および前記バック側中央長方形領域に対応する前記ソール部の最大肉厚の各々は、前記トゥ側中央長方形領域、前記ヒール側中央長方形領域および前記中央長方形領域の各々に対応する前記ソール部の最大肉厚に比べて１．３ｍｍ以上大きくなっている、請求項３に記載のウッド型ゴルフクラブヘッド。
【請求項５】
打球面を有するフェース部と、前記フェース部に接続されたソール部と、シャフトに接続されるべきホーゼル部とを備えたウッド型ゴルフクラブヘッドであって、
規定のライ角にて前記ソール部を基準面に接地させた状態において、前記基準面に投影される前記ゴルフクラブヘッドの投影像における、前記基準面に投影されたシャフト中央線に平行であって前記基準面に投影された前記フェース部に接するフェース部側線分と、前記フェース部側線分とは反対側のバック側に接するバック側線分と、前記基準面に投影されたシャフト中央線に直交し、前記基準面に投影された前記ホーゼル部と本体部との接続部を通るヒール側線分と、前記ヒール側線分とは反対側のトゥ側に接するトゥ側線分とを含む長方形領域を設定し、前記長方形領域を前記フェース部側線分に平行な２本の線分および前記ヒール側線分に平行な２本の線分により９個の合同な要素長方形領域に分割した場合、前記要素長方形領域のうち中央に位置する中央長方形領域から見て前記フェース部側中央に位置するフェース部側中央長方形領域に対応する前記ソール部の最大肉厚は、前記中央長方形領域から見てトゥ側中央に位置するトゥ側中央長方形領域、前記中央長方形領域から見てヒール側中央に位置するヒール側中央長方形領域および前記中央長方形領域の各々に対応する前記ソール部の最大肉厚よりも大きくなっており、
前記中央長方形領域から見て前記フェース部側とは反対側であるバック側中央に位置するバック側中央長方形領域に対応する前記ソール部は、前記ソール部に質量を付加するための付属物を含んでいる、ウッド型ゴルフクラブヘッド。
【請求項６】
前記フェース部側中央長方形領域に対応する前記ソール部の最大肉厚は、前記トゥ側中央長方形領域、前記ヒール側中央長方形領域および前記中央長方形領域の各々に対応する前記ソール部の最大肉厚に比べて１．３ｍｍ以上大きくなっている、請求項５に記載のウッド型ゴルフクラブヘッド。
【請求項７】
前記ソール部は、前記付属物により５ｇ以上５０ｇ以下の質量が付加されている、請求項５または６に記載のウッド型ゴルフクラブヘッド。
【請求項８】
前記トゥ側中央長方形領域、前記ヒール側中央長方形領域および前記中央長方形領域の各々に対応する前記ソール部の最大肉厚は０．４ｍｍ以上１．０ｍｍ未満である、請求項１〜７のいずれか１項に記載のウッド型ゴルフクラブヘッド。
【請求項９】
請求項１〜８のいずれか１項に記載のウッド型ゴルフクラブヘッドを備えた、ウッド型ゴルフクラブ。
【発明の詳細な説明】
【技術分野】
【０００１】
本発明は、ウッド型ゴルフクラブヘッドおよびウッド型ゴルフクラブに関し、より特定的には、スイートスポット高さを低く維持することと大きい縦慣性モーメント確保することを両立可能なウッド型ゴルフクラブヘッドおよび当該ウッド型ゴルフクラブヘッドを備えたウッド型ゴルフクラブに関するものである。
【背景技術】
【０００２】
近年、ウッド型ゴルフクラブヘッドにおいては、ヘッド体積の大型化に伴い、ヘッド慣性モーメントの増大により、オフセンターショットと呼ばれるスイートスポット（以下、ＳＳという）を外したショットにおいて、飛距離ロスを軽減させる効果のあるものが主流となっている（たとえば非特許文献１および特許文献１〜２参照）。一方、ヘッド重心を前方に移動させる(重心深度を浅くする)と共に、低重心化が図ったウッド型ゴルフクラブヘッドも提案されている（たとえば特許文献３参照）。
【非特許文献１】“Ｅ５００  ＤＲＩＶＥＲ  ＴＥＣＨＮＯＬＯＧＹ”、[ｏｎ  ｌｉｎｅ]、ミズノ株式会社ホームページ、[平成２０年１０月２０日検索]、インターネット＜ＵＲＬ：ｈｔｔｐ：／／ｗｗｗ．ｇｏｌｆｅｒｓｌａｎｄ．ｎｅｔ／ｊｐｘ／ｄｒｉｖｅｒ／ｅ５００ｄｒ＿ｔｅｃｈ．ｈｔｍｌ＞
【特許文献１】特開平７−２８４５４６号公報
【特許文献２】特開２００５−２７８８００号公報
【特許文献３】特開平１１−３１９１６６号公報
【発明の開示】
【発明が解決しようとする課題】
【０００３】
しかしながら、ヘッド慣性モーメントの増大だけを追い求めると、ＳＳが高くなる。そのため、そのようなヘッドを備えたゴルフクラブを使用すると、ＳＳよりも下目の打点が多くなり、低弾道でバックスピンの多い球筋となり、十分な飛距離が得られないという問題が生じる。また、トゥヒール方向の慣性モーメント(左右方向の慣性モーメントとも呼ばれる)が大きければ、必然的にヘッドシャフト中央線からヘッド重心までの距離(重心距離)が長くなり、シャフト軸まわりの慣性モーメントが大きくなる。その結果、そのようなヘッドを備えたゴルフクラブを使用すると、フェード系の打球で、いわゆる、つかまらない球になることが多いという問題もある。
【０００４】
より詳細に説明すると、非特許文献１に開示されたウッド型ゴルフクラブヘッド（ミズノ株式会社製、２００７年２月発売モデル、ＪＰＸ  Ｅ５００  Ｄｉｒｖｅｒ）のように、ソール後方部に余剰質量を集中させた場合、縦方向の慣性モーメント（以下、縦慣性モーメントという）は大きくなるが、重心深度が深くなりがちで、ＳＳが高くなるデメリットが生じる。具体的には、非特許文献１に開示されたウッド型ゴルフクラブヘッドにおいては、縦慣性モーメントは２８３０ｇ・ｃｍ２となっており十分大きいが、ＳＳの地面からの高さ（以下、ＳＳ高さという）は３８．５ｍｍと高くなっている。
【０００５】
また、特許文献１に開示されたウッド型ゴルフクラブヘッドにおいては、ソール部中央部分に比べて周辺部分全体の肉厚を大きくする構成が採用されている。ソール部のトゥ側やヒール側にも質量が付加されていることにより、この場合、ウッド型ゴルフクラブヘッドには、様々なスイング、または、ライに対応するためにソール部のトゥヒール方向にはソールラウンドと呼ばれる丸みが付けられていることから重心位置が高くなる構成であリ、ＳＳが高くならざるを得ない。
【０００６】
さらに、特許文献２に開示されたウッド型ゴルフクラブヘッドにおいては、縦慣性モーメントを大きくしながら、フェース面上において、フェース中心とＳＳとの距離を５％以内に近づける構成が提案されている。そして、その手法として、フェース面を地面から高く位置するように設計する方策が開示されている（図２、図３、図７および図８参照）。しかし、このような特異な形状を採用した場合、実際には、ＳＳ高さが高いために、ＳＳよりも下部での打点によるインパクトが多くなる。その結果、飛び出しが低くバックスピンが多くなるため、本来のヘッドの飛距離性能を発揮することは難しい。これを回避するためには、ティーアップを高くして打つ必要があるが、自前のスイングとは異なるスイングを強いられるため、打ちづらいのが実情である。また、図１４のように、バックサイドの後方端だけに質量を付加する場合も、上述の非特許文献１と同様にＳＳ高さが高くなるという問題を生じる。
【０００７】
一方、特許文献３に開示されたウッド型ゴルフクラブヘッドにおいては、フェース面に近いソール面の内面上にトゥ部からヒール部に亘る棒状のウエイトを固着する構成を採用することにより、ヘッド重心を前方に移動させる(重心深度を浅くする)とともに、低重心化が図られている。この構成によれば、ＳＳ高さは低くなるものの、縦慣性モーメントが小さくなるという問題が生じる。
【０００８】
以上のように、従来のウッド型ゴルフクラブヘッドにおいては、縦慣性モーメントの増大とＳＳ高さの低減とを両立することが難しいという問題があった。そこで、本発明の目的は、スイートスポット高さを低く維持することと大きい縦慣性モーメント確保することを両立することが可能なウッド型ゴルフクラブヘッド、および当該ウッド型ゴルフクラブヘッドを備えたウッド型ゴルフクラブを提供することである。
【課題を解決するための手段】
【０００９】
本発明の一の局面におけるウッド型ゴルフクラブヘッドは、打球面を有するフェース部と、フェース部に接続されたソール部と、シャフトに接続されるべきホーゼル部とを備えたウッド型ゴルフクラブヘッドである。このウッド型ゴルフクラブヘッドでは、規定のライ角にてソール部を基準面に接地させた状態において、基準面に投影されるゴルフクラブヘッドの投影像における、基準面に投影されたシャフト中央線に平行であって基準面に投影されたフェース部に接するフェース部側線分と、フェース部側線分とは反対側のバック側に接するバック側線分と、基準面に投影されたシャフト中央線に直交し、基準面に投影されたホーゼル部と本体部との接続部を通るヒール側線分と、ヒール側線分とは反対側のトゥ側に接するトゥ側線分とを含む長方形領域を設定し、当該長方形領域をフェース部側線分に平行な２本の線分およびヒール側線分に平行な２本の線分により９個の合同な要素長方形領域に分割した場合、要素長方形領域のうち中央に位置する中央長方形領域から見てフェース部側中央に位置するフェース部側中央長方形領域に対応するソール部の質量およびフェース部側とは反対側であるバック側中央に位置するバック側中央長方形領域に対応するソール部の質量の各々は、中央長方形領域から見てトゥ側中央に位置するトゥ側中央長方形領域、中央長方形領域から見てヒール側中央に位置するヒール側中央長方形領域および中央長方形領域の各々に対応するソール部の質量よりも大きくなっている。
【００１０】
上記一の局面におけるウッド型ゴルフクラブヘッドにおいて好ましくは、上記フェース側中央長方形領域に対応するソール部の質量および上記バック側中央長方形領域に対応するソール部の質量の各々は、上記トゥ側中央長方形領域、上記ヒール側中央長方形領域および上記中央長方形領域の各々に対応するソール部の質量に比べて５ｇ以上５０ｇ以下だけ大きくなっている。
【００１１】
本発明の他の局面におけるウッド型ゴルフクラブヘッドは、打球面を有するフェース部と、フェース部に接続されたソール部と、シャフトに接続されるべきホーゼル部とを備えたウッド型ゴルフクラブヘッドである。このウッド型ゴルフクラブヘッドでは、規定のライ角にてソール部を基準面に接地させた状態において、基準面に投影されるゴルフクラブヘッドの投影像における、基準面に投影されたシャフト中央線に平行であって基準面に投影されたフェース部に接するフェース部側線分と、フェース部側線分とは反対側のバック側に接するバック側線分と、基準面に投影されたシャフト中央線に直交し、基準面に投影されたホーゼル部と本体部との接続部を通るヒール側線分と、ヒール側線分とは反対側のトゥ側に接するトゥ側線分とを含む長方形領域を設定し、当該長方形領域をフェース部側線分に平行な２本の線分およびヒール側線分に平行な２本の線分により９個の合同な要素長方形領域に分割した場合、要素長方形領域のうち中央に位置する中央長方形領域から見てフェース部側中央に位置するフェース部側中央長方形領域に対応するソール部の最大肉厚およびフェース部側とは反対側であるバック側中央に位置するバック側中央長方形領域に対応するソール部の最大肉厚の各々は、中央長方形領域から見てトゥ側中央に位置するトゥ側中央長方形領域、中央長方形領域から見てヒール側中央に位置するヒール側中央長方形領域および中央長方形領域の各々に対応するソール部の最大肉厚よりも大きくなっている。なお、本願明細書、特許請求の範囲および要約書において、ソール部の最大肉厚とは、ソール部の所定の領域における肉厚の最大値をいう。
【００１２】
上記他の局面におけるウッド型ゴルフクラブヘッドにおいて好ましくは、上記フェース側中央長方形領域に対応するソール部の最大肉厚および上記バック側中央長方形領域に対応するソール部の最大肉厚の各々は、上記トゥ側中央長方形領域、上記ヒール側中央長方形領域および上記中央長方形領域の各々に対応するソール部の最大肉厚に比べて１．３ｍｍ以上大きくなっている。
【００１３】
本発明のさらに他の局面におけるウッド型ゴルフクラブヘッドは、打球面を有するフェース部と、フェース部に接続されたソール部と、シャフトに接続されるべきホーゼル部とを備えたウッド型ゴルフクラブヘッドである。このウッド型ゴルフクラブヘッドでは、規定のライ角にてソール部を基準面に接地させた状態において、基準面に投影されるゴルフクラブヘッドの投影像における、基準面に投影されたシャフト中央線に平行であって基準面に投影されたフェース部に接するフェース部側線分と、フェース部側線分とは反対側のバック側に接するバック側線分と、基準面に投影されたシャフト中央線に直交し、基準面に投影されたホーゼル部と本体部との接続部を通るヒール側線分と、ヒール側線分とは反対側のトゥ側に接するトゥ側線分とを含む長方形領域を設定し、当該長方形領域をフェース部側線分に平行な２本の線分およびヒール側線分に平行な２本の線分により９個の合同な要素長方形領域に分割した場合、要素長方形領域のうち中央に位置する中央長方形領域から見てフェース部側中央に位置するフェース部側中央長方形領域に対応するソール部の最大肉厚は、中央長方形領域から見てトゥ側中央に位置するトゥ側中央長方形領域、中央長方形領域から見てヒール側中央に位置するヒール側中央長方形領域および中央長方形領域の各々に対応するソール部の最大肉厚よりも大きくなっている。さらに、中央長方形領域から見てフェース部側とは反対側であるバック側中央に位置するバック側中央長方形領域に対応するソール部は、当該ソール部に質量を付加するための付属物を含んでいる。
【００１４】
上記さらに他の局面におけるウッド型ゴルフクラブヘッドにおいて好ましくは、上記フェース部側中央長方形領域に対応するソール部の最大肉厚は、上記トゥ側中央長方形領域、上記ヒール側中央長方形領域および上記中央長方形領域の各々に対応するソール部の最大肉厚に比べて１．３ｍｍ以上大きくなっている。
【００１５】
上記さらに他の局面におけるウッド型ゴルフクラブヘッドにおいて好ましくは、ソール部は、上記付属物により５ｇ以上５０ｇ以下の質量が付加されている。
【００１６】
上記本発明に係るウッド型ゴルフクラブヘッドにおいて好ましくは、トゥ側中央長方形領域、ヒール側中央長方形領域および中央長方形領域の各々に対応するソール部の最大肉厚は０．４ｍｍ以上１．０ｍｍ未満である。
【００１７】
本発明に係るウッド型ゴルフクラブは、上記本発明のウッド型ゴルフクラブヘッドを備えている。
【発明の効果】
【００１８】
本発明の一の局面におけるウッド型ゴルフクラブヘッドにおいては、フェース側中央長方形領域に対応するソール部の質量およびバック側中央長方形領域に対応するソール部の質量の各々が、トゥ側中央長方形領域、ヒール側中央長方形領域および中央長方形領域の各々に対応するソール部の質量よりも大きく設定されている。そのため、本発明の一の局面におけるウッド型ゴルフクラブヘッドによれば、スイートスポット高さを低く維持することと大きい縦慣性モーメント確保することを両立することが可能なウッド型ゴルフクラブヘッドを提供することができる。
【００１９】
また、本発明の他の局面におけるウッド型ゴルフクラブヘッドにおいては、フェース側中央長方形領域に対応するソール部の最大肉厚およびバック側中央長方形領域に対応するソール部の最大肉厚の各々が、トゥ側中央長方形領域、ヒール側中央長方形領域および中央長方形領域の各々に対応するソール部の最大肉厚よりも大きく設定されている。そのため、本発明の他の局面におけるウッド型ゴルフクラブヘッドによれば、上記一の局面におけるウッド型ゴルフクラブヘッドと同様に、スイートスポット高さを低く維持することと大きい縦慣性モーメント確保することを両立することが可能なウッド型ゴルフクラブヘッドを提供することができる。
【００２０】
また、本発明のさらに他の局面におけるウッド型ゴルフクラブヘッドにおいては、フェース部側中央長方形領域に対応するソール部の最大肉厚が、トゥ側中央長方形領域、ヒール側中央長方形領域および中央長方形領域の各々に対応するソール部の最大肉厚よりも大きく設定されている。さらに、本発明のさらに他の局面におけるウッド型ゴルフクラブヘッドにおいては、バック側中央長方形領域に対応するソール部が、ソール部に質量を付加するための付属物を含んでいる。そのため、本発明のさらに他の局面におけるウッド型ゴルフクラブヘッドによれば、上記一の局面におけるウッド型ゴルフクラブヘッドと同様に、スイートスポット高さを低く維持することと大きい縦慣性モーメント確保することを両立することが可能なウッド型ゴルフクラブヘッドを提供することができる。
【００２１】
また、本発明のウッド型ゴルフクラブにおいては、上述のようなウッド型ゴルフクラブヘッドを備えている。そのため、飛距離の向上と飛距離の安定化を両立することが可能なウッド型ゴルフクラブを提供することができる。
【発明を実施するための最良の形態】
【００２２】
以下、図面に基づいて本発明の実施の形態を説明する。なお、以下の図面において同一または相当する部分には同一の参照番号を付し、その説明は繰返さない。
【００２３】
（実施の形態１）
以下、本発明の一実施の形態である実施の形態１について説明する。図１は、実施の形態１におけるゴルフクラブの構成を示す概略図である。また、図２は、図１のゴルフクラブが備えるゴルフクラブヘッドをクラウン部側から見た概略平面図である。また、図３は、図１のゴルフクラブが備えるゴルフクラブヘッドをフェース部側から見た概略平面図である。また、図４は、図１のゴルフクラブが備えるゴルフクラブヘッドをソール部側から見た概略平面図である。また、図５は、図１のゴルフクラブが備えるゴルフクラブヘッドをトゥ部側から見た概略平面図である。また、図６は、図１のゴルフクラブが備えるゴルフクラブヘッドを基準面に投影し、ソール部側から見た状態を示す概略図である。
【００２４】
図１を参照して、本実施の形態におけるウッド型ゴルフクラブとしてのゴルフクラブ９は、ウッド型ゴルフクラブヘッドとしてのヘッド１と、ヘッド１のホーゼル部１３に接続されたシャフト２と、シャフト２においてヘッド１に接続された側とは反対側の端部に配置されたグリップ部３とを備えている。
【００２５】
図２〜図５を参照して、ヘッド１は、打球面１１Ａを有するフェース部１１と、フェース部１１に接続されたソール部１４と、フェース部１１に接続され、ソール部１４の上面を覆うように配置されたクラウン部１２と、シャフト２（図１参照）に接続されるべきホーゼル部１３とを備えている。そして、図５を参照して、ヘッド１の重心２２からフェース部１１に下ろした垂線と、フェース部の表面との交点がＳＳ２１となる。
【００２６】
ここで、本実施の形態におけるソール部１４の質量配分について説明する。図５および図６を参照して、規定のライ角にてソール部１４を基準面βに接地させた状態において、基準面βに投影されるヘッド１の投影像を考える。このとき、基準面βに投影されたシャフト中央線αに平行であって基準面βに投影されたフェース部１１に接するフェース部側線分８１と、フェース部側線分８１とは反対側のバック側に接するバック側線分８２と、基準面βに投影されたシャフト中央線αに直交し、基準面βに投影されたホーゼル部１３とヘッド１の本体部との接続部を通るヒール側線分８３と、ヒール側線分８３とは反対側のトゥ側に接するトゥ側線分８４とを含む長方形領域を設定する。さらに、当該長方形領域をフェース部側線分８１に平行な２本の線分８５，８６およびヒール側線分８３に平行な２本の線分８７，８８により９個の合同な要素長方形領域に分割する。
【００２７】
このとき、本実施の形態におけるソール部１４においては、上記要素長方形領域のうち中央に位置する中央長方形領域９４から見てフェース部１１側中央に位置するフェース部側中央長方形領域９１に対応するソール部１４の質量およびフェース部１１側とは反対側であるバック側中央に位置するバック側中央長方形領域９２に対応するソール部１４の質量の各々は、中央長方形領域９４から見てトゥ側中央に位置するトゥ側中央長方形領域９３、中央長方形領域９４から見てヒール側中央に位置するヒール側中央長方形領域９５および中央長方形領域９４の各々に対応するソール部１４の質量よりも大きくなっている。
【００２８】
次に、本実施の形態におけるヘッド１およびゴルフクラブ９が奏する効果について説明する。図７は、ウッド型ゴルフクラブヘッドにおける慣性モーメントについて説明するための概略斜視図である。
【００２９】
本発明者は、従来困難であったスイートスポット高さを低く維持することと大きい縦慣性モーメント確保することを両立することが可能なウッド型ゴルフクラブヘッドの構成に関して詳細な検討を行なった。その結果、以下のような方策を案出し、本発明に想到した。
【００３０】
すなわち、図５を参照して、上記非特許文献１に開示されたウッド型ゴルフクラブヘッドようにソール部のバック側（図５の左側）の質量を大きくする構成を採用した場合、縦慣性モーメント（図７の「クラウン・ソール方向の重心回り慣性モーメント」に相当）は大きくなる。しかし、図５を参照して、重心２２がバック側に移動するためＳＳ２１が上昇し、ＳＳ高さが高くなる。一方、上記特許文献３に開示されたウッド型ゴルフクラブヘッドのように、フェース面に近いソール面の内面上にトゥ部からヒール部に亘る棒状のウエイトを固着する構成を採用した場合、重心２２はフェース側（図５の右側）に移動するため、ＳＳ高さは低くなる。しかし、上記非特許文献１の場合とは逆に、縦慣性モーメントは小さくなる。また、特許文献１に開示されたウッド型ゴルフクラブヘッドのように、ソール部中央部分に比べて周辺部分全体の肉厚を大きくする構成を採用した場合、ウッド型ゴルフクラブヘッドには、様々なスイング、または、ライに対応するためにソール部のトゥヒール方向にはソールラウンドと呼ばれる丸みが付けられていることから、重心から近い位置であるソール部のトゥ側やヒール側にも質量が付加される。そのため、重心位置が高くなってＳＳ高さが高くなる。つまり、余剰質量をソール部の１箇所に集中させた場合や周辺部全体に配置した場合、本願発明の目標であるスイートスポット高さを低く維持することと大きい縦慣性モーメント確保することとの両立を達成することはできない。
【００３１】
これに対し、本実施の形態におけるヘッド１においては、重心から近い位置であるトゥ側中央長方形領域９３、中央長方形領域９４およびヒール側中央長方形領域９５に対応するソール部１４の質量をできるだけ軽くする一方、フェース部側中央長方形領域９１およびバック側中央長方形領域９２に対応するソール部１４の質量を重くする構成を採用している。これにより、上記本実施の形態におけるヘッド１においては、ＳＳ高さを低く維持することと大きい縦慣性モーメント確保することが両立されている。
【００３２】
もちろん、フェース部１１やクラウン部１２などに関しては、強度が許す限り、肉厚を薄めに設計して余剰質量を増大させ、フェース部側中央長方形領域９１およびバック側中央長方形領域９２に対応するソール部１４への質量付加の量を増やすことが、本発明の効果をより大きくする。また、ソール部１４に関しても、フェース部側中央長方形領域９１およびバック側中央長方形領域９２に対応するソール部１４に質量を集中させることが好ましい。より具体的には、フェース部側中央長方形領域９１に対応するソール部１４に質量およびバック側中央長方形領域９２に対応するソール部１４に質量の各々は、上記９個の要素長方形のうちフェース部側中央長方形領域９１およびバック側中央長方形領域９２を除く７個の要素長方形の各々に対応するソール部１４の質量よりも大きくなっていることが好ましい。
【００３３】
（実施の形態２）
次に、本発明の一実施の形態である実施の形態２について説明する。図８は、実施の形態２におけるウッド型ゴルフクラブヘッドの構成を示す概略断面図である。なお、図８は、図３における線分Ａ−Ａに沿う断面図に相当する。
【００３４】
図８を参照して、実施の形態２におけるヘッド１は、ソール部１４の厚みの分布において特徴を有するもので、実施の形態２におけるヘッド１は、基本的には実施の形態１におけるヘッド１と同様の構成を有し、同様の効果を奏する。
【００３５】
具体的には、図６および図８を参照して実施の形態２におけるヘッド１においては、フェース部側中央長方形領域９１に対応するソール部１４であるフェース部側中央部１４１の最大肉厚およびバック側中央長方形領域９２に対応するソール部１４であるバック側中央部１４３の最大肉厚の各々は、トゥ側中央長方形領域９３に対応するソール部１４の最大肉厚、ヒール側中央長方形領域９５に対応するソール部１４の最大肉厚および中央長方形領域９４に対応するソール部１４である中央部１４２の最大肉厚の各々よりも大きくなっている。
【００３６】
これにより、本実施の形態におけるヘッド１では、トゥ側中央長方形領域９３、中央長方形領域９４およびヒール側中央長方形領域９５に対応するソール部１４の質量を軽くする一方、フェース部側中央長方形領域９１およびバック側中央長方形領域９２に対応するソール部１４の質量を重くすることが容易となっている。その結果、上記本実施の形態におけるヘッド１においては、ＳＳ高さを低く維持することと大きい縦慣性モーメント確保することが両立されている。
【００３７】
（実施の形態３）
次に、本発明の一実施の形態である実施の形態３について説明する。図９は、実施の形態３におけるウッド型ゴルフクラブヘッドの構成を示す概略断面図である。なお、図９は、図３における線分Ａ−Ａに沿う断面図に相当する。
【００３８】
図９を参照して、実施の形態３におけるヘッド１は、基本的には実施の形態１におけるヘッド１と同様の構成を有し、同様の効果を奏する。そして、実施の形態３におけるヘッド１は、ソール部１４の厚みの分布および付属物による質量の付加において特徴を有している。
【００３９】
具体的には、図６および図９を参照して実施の形態３におけるヘッド１においては、フェース部側中央長方形領域９１に対応するソール部１４であるフェース部側中央部１４１の最大肉厚は、トゥ側中央長方形領域９３に対応するソール部１４の最大肉厚、ヒール側中央長方形領域９５に対応するソール部１４の最大肉厚および中央長方形領域９４に対応するソール部１４である中央部１４２の最大肉厚の各々よりも大きくなっている。さらに、実施の形態３におけるヘッド１においては、バック側中央長方形領域９２に対応するソール部１４であるバック側中央部１４３は、ソール部１４に質量を付加するための付属物としてのバッヂ３１およびビス３２を含んでいる。すなわち、バック側中央部１４３には、ビス３２によりバッヂ３１が設置されている。
【００４０】
これにより、本実施の形態におけるヘッド１では、トゥ側中央長方形領域９３、中央長方形領域９４およびヒール側中央長方形領域９５に対応するソール部１４の質量を軽くする一方、フェース部側中央長方形領域９１およびバック側中央長方形領域９２に対応するソール部１４の質量を重くすることが容易となっている。その結果、上記本実施の形態におけるヘッド１においては、ＳＳ高さを低く維持することと大きい縦慣性モーメント確保することが両立されている。
【００４１】
なお、図９の場合とは逆に、フェース部側中央部１４１に対してビス３２によりバッヂ３１を設置し、バック側中央部１４３の最大肉厚を、トゥ側中央長方形領域９３に対応するソール部１４の最大肉厚、ヒール側中央長方形領域９５に対応するソール部１４の最大肉厚および中央長方形領域９４に対応するソール部１４である中央部１４２の最大肉厚の各々よりも大きくする構成を採用することも可能であるが、ゴルフクラブの使用時においてヘッド１の前方側に相当するフェース部側中央部１４１が地面に衝突し、バッヂ３１およびビス３２が破損あるいは脱落することを回避する観点から、上記図９の構成を採用することがより好ましい。
【００４２】
（実施の形態４）
次に、本発明の一実施の形態である実施の形態４について説明する。図１０は、実施の形態４におけるウッド型ゴルフクラブヘッドの構成を示す概略平面図である。なお、図１０は、ヘッドをソール部側から見た平面図に相当する。
【００４３】
図１０を参照して、実施の形態４におけるヘッド１は、基本的には実施の形態１におけるヘッド１と同様の構成を有し、同様の効果を奏する。そして、実施の形態４におけるヘッド１は、ソール部１４の形状において特徴を有している。
【００４４】
具体的には、図１０を参照して実施の形態４におけるヘッド１においては、ソール部１４のフェース部側周辺部（図６のフェース部側中央長方形領域９１に対応するソール部１４の領域が含まれる）に複数の凹部である溝１４Ｂが形成されている。これにより、溝１４Ｂが形成された領域の表面積が増加するため、フェース部側中央長方形領域９１に対応するソール部１４の質量を重くすることが容易となっている。その結果、上記本実施の形態におけるヘッド１においては、ＳＳ高さを低く維持することと大きい縦慣性モーメント確保することが両立されている。
【００４５】
なお、図１０においては、凹部である溝１４Ｂが形成されることにより表面積を増加させる構成について説明したが、凹部に代えて凸部を形成してもよいし、凹部および凸部の両方を形成してもよい。
【００４６】
また、上記実施の形態において説明したソール部１４の厚みの分布、付属物による質量の付加、ソール部１４の形状などは、本願の請求項１におけるソール部の各領域同士の質量の関係が満たされる限り、自由に組み合わせて実施することができる。
【実施例１】
【００４７】
以下、本発明の実施例１について説明する。本発明の有効性を実証するために、シミュレーション検証を行った。シミュレーションの手順は以下のとおりである。
【００４８】
ヘッドのロフト角αは１０°とした。また、ベースとなるヘッドの質量を１７０ｇ、１７５ｇおよび１８０ｇの３種類とし、縦慣性モーメントは、それぞれ２３６５ｇ・ｃｍ２、２４３３ｇ・ｃｍ２および２５００ｇ・ｃｍ２とした。そして、ソール部のフェース側である点Ｆ、バック側である点Ｂおよびセンター部である点Ｃに質量を付加することにより、種々のヘッドを想定した。
【００４９】
図１１は、本シミュレーション検証における質量付加の位置を示す図である。図１１において、横軸はフェース・バック方向の軸に該当し、縦軸はクラウン・ソール方向の軸に該当する。図１１を参照して、点Ｐは、質量を付加しない状態での重心の位置を表している。また、質量の付加は、点Ｆ、点Ｃおよび点Ｂに対する集中荷重とした。質量付加を含めたヘッド質量は、１９０ｇに統一した。フェースは、バルジおよびロールを共に有さず、フラットであるとして計算を行った。点Ｂの位置は、通常ソールの抜けを向上させるためロールアップと呼ばれる形状が採用されることを考慮して、点Ｆおよび点Ｃと比較して、地面（基準面）から高い位置とした。そして、ベースとなるヘッドおよび所定の位置に質量を付加したヘッドについて、ＳＳ高さおよび縦慣性モーメントを算出した。なお、点Ｐ、点Ｆ、点Ｃおよび点Ｂの位置（図１１における座標）を表１に示す。表１において、数値の単位はｍｍである。
【００５０】
【表１】
2010099408.tif 000003
【００５１】
次に、上記シミュレーションの結果について説明する。図１２は、実施例１におけるシミュレーションの結果を示す図である。図１２において横軸はＳＳ高さ、縦軸は縦慣性モーメントを示している。つまり、図１２において、データ点が右側に移動することを抑制しつつ、上側に移動させることが本発明の目標である。また、表２に、実施例１におけるシミュレーションの具体的データを示す。
【００５２】
【表２】
2010099408.tif 000004
【００５３】
図１２を参照して、従来の一般的なソール均等肉厚のモデルを模した点Ｆ、点Ｃおよび点Ｂの３箇所への質量付加を実施したＦＣＢに対して、後方側（バック側）に質量付加を集中させることにより重心深度が深くなったＢ（非特許文献１や特許文献２の構成に相当）は、縦慣性モーメントが増大しているものの、ＳＳ高さが大幅に高くなっている。一方、前方側（フェース部側）に質量付加を集中させることにより重心深度が浅くなったＦ（特許文献３の構成に相当）は、ＦＣＢに対して、ＳＳ高さが低くなっているものの、縦慣性モーメントの増大が小さくなっている。つまり、従来の一般的なソール均等肉厚のモデルのヘッドや、上記非特許文献および特許文献に開示されたように前方側または後方側に質量を付加する従来の手法では、図１２の破線で示すＳＳ高さと縦慣性モーメントとの関係の範囲内でのみ、ＳＳ高さおよび縦慣性モーメントの調整が可能となる。
【００５４】
これに対し、本発明の実施例に相当するＦＢにおいては、ＦＣＢに対してＳＳ高さの上昇を僅かな上昇に抑制しつつ、大幅な縦慣性モーメントの増大を達成している。つまり、本発明に含まれるＦＢの構成を有するヘッドによれば、図１２の破線で示すＳＳ高さと縦慣性モーメントとの関係の範囲を離れて、ＳＳ高さの上昇を抑制しつつ、大幅に縦慣性モーメントを増大させることができる。以上の結果より、本発明のウッド型ゴルフクラブヘッドによれば、スイートスポット高さを低く維持することと大きい縦慣性モーメント確保することを両立可能であることが確認された。
【００５５】
なお、図１２から、質量付加のない状態でのヘッド質量が軽ければ軽いほど、本発明の効果が大きいことが分かる。これは、質量付加のない状態でのヘッド質量が軽いほど、余剰質量、つまり質量付加の量を多くできるため、ＳＳ高さの上昇を抑制しつつ、縦慣性モーメントを大きくできることに起因する。したがって、フェース部やクラウン部などに関しては、強度が許す限り、肉厚を薄めに設計して余剰質量を増大させ質量付加の量を増やすことが、本発明の効果をより大きくするといえる。
【００５６】
ここで、別途実施されたロボット試験の結果から、ヘッドスピード４２ｍ／ｓの場合、ＳＳ高さが０．５ｍｍ異なると、すなわち同一ヘッドにおいて打点の高さが０．５ｍｍ異なると、飛び出し角が０．１°異なり、バックスピンの回転数が２０ｒｐｍ異なることが分かっている。また、同様に、縦慣性モーメントが５０ｇ・ｃｍ２異なると、打点がＳＳから１５ｍｍ上下に外れたときに、ボール初速は０．０２ｍ／ｓ、バックスピンの回転数は２０ｒｐｍ程度異なることが分かっている(飛び出し角はほとんど変わらない)。一方、バックスピンの回転数の差が２０ｒｐｍ未満の場合、実際に使用される場合におけるスイングのばらつきを考慮すると、上級者であってさえも、性能差を体感することは難しい。つまり、ＳＳ高さにおいて０．５ｍｍ以上の差、縦慣性モーメントにおいて５０ｇ・ｃｍ２以上の差であれば、ヘッドの性能に明確な差を及ぼしているといえる。
【００５７】
これを考慮して上記シミュレーションの結果を検討すると、ソール前方部および後方部への質量付加の値がそれぞれ５ｇである場合（質量付加のない状態でのヘッド質量が１８０ｇの場合）においても、１８０−ＦＢは、１８０−ＦＣＢに対して縦慣性モーメントが６０ｇ・ｃｍ２増加しているとともに、１８０−Ｂに対してＳＳ高さが０．５ｍｍ低くなっている。したがって、ソール前方部および後方部への質量付加の値がそれぞれ５ｇ以上であれば、ヘッドの性能に明確な差を及ぼしているといえる。なお、上記シミュレーションにおいては、質量付加を含めたヘッドの質量を１９０ｇとした場合について検討したが、当該質量が１９０ｇよりも多い場合や少ない場合でも、同様の検討結果が得られる。
【００５８】
一方、ウッド型ゴルフクラブにおいて、フェアウェイウッドである９番ウッドの長さは４１インチ程度である。そして、スイングバランスを確保する観点から、ヘッドの質量はウッド型ゴルフクラブの中でも最も大きい部類に入り、２２０ｇ〜２３０ｇ程度とされるのが一般的である。ここで、質量付加のない状態のヘッドの質量は、必要な強度を考慮すると、１３０g程度まで低減することができる。したがって、ソール前方部および後方部への質量付加の値は、それぞれ５０ｇ以下とすることが現実的である。
【００５９】
さらに、現在主流のドライバーヘッドの体積は４００ｃｍ３〜４６０ｃｍ３程度であり、強度を確保する観点から、ヘッドの質量は１７０ｇ程度以上必要である。また、ドライバーの長さは通常４４〜４７インチ程度であり、スイングバランスを確保する観点から、ヘッドの質量は、１７５ｇ〜２１０ｇ程度とされるのが一般的である。したがって、ドライバーヘッドを想定すると、ソール前方部および後方部への質量付加の値は、それぞれ２０ｇ以下とすることが現実的である。
【００６０】
以上より、本発明におけるフェース側中央長方形領域に対応するソール部の質量およびバック側中央長方形領域に対応するソール部の質量の各々は、トゥ側中央長方形領域、ヒール側中央長方形領域および中央長方形領域の各々に対応するソール部の質量に比べて５ｇ以上５０ｇ以下だけ大きくすることが好ましく、ドライバーヘッドを想定すると５ｇ以上２０ｇ以下だけ大きくすることが好ましいといえる。また、ソール部に付属物を設置することにより、ソール部に質量を付加する場合、当該付属物により５ｇ以上５０ｇ以下の質量が付加されることが好ましく、ドライバーヘッドを想定すると５ｇ以上２０ｇ以下の質量が付加されることが好ましいといえる。
【００６１】
また、一般的なドライバーヘッドの寸法において、ソール部のトゥ・ヒール方向における長さおよび前後方向（フェース・バック方向）における長さは、いずれも９０ｍｍ程度である。したがって、上記要素長方形１つあたりのソール部の面積は９ｃｍ２程度である。そして、ヘッドを構成する一般的な材料のうち、最も比重が小さい部類に入るチタン合金製のヘッドを想定すると、肉厚１ｍｍあたりの質量は４．０５ｇである。ここで、上述のように、ソール前方部および後方部への質量付加の値は５ｇ以上とすることが好ましく、これを達成するためには１．２３ｍｍ以上の肉厚の増量が必要である。したがって、ソール前方部および後方部における肉厚はソール中央部に対して１．３ｍｍ程度大きくすることが望ましい。以上より、フェース側中央長方形領域に対応するソール部の最大肉厚やバック側中央長方形領域に対応するソール部の最大肉厚は、トゥ側中央長方形領域、ヒール側中央長方形領域および中央長方形領域の各々に対応するソール部の最大肉厚に比べて１．３ｍｍ以上大きくなっていることが好ましいといえる。
【００６２】
また、トゥ側中央長方形領域、ヒール側中央長方形領域および中央長方形領域の各々に対応するソール部の最大肉厚が１ｍｍ以上である場合、質量付加の量を十分に確保することが難しくなる場合がある。一方、当該領域に対応するソール部の最大肉厚が０．４ｍｍ未満である場合、鋳造性と強度の観点から肉厚が不十分となるおそれがある。したがって、トゥ側中央長方形領域、ヒール側中央長方形領域および中央長方形領域の各々に対応するソール部の最大肉厚は０．４ｍｍ以上１．０ｍｍ未満であることが好ましい。
【実施例２】
【００６３】
以下、本発明の実施例２について説明する。本発明のウッド型ゴルフクラブヘッドを実際に作製し、その性能を確認する実験を行なった。実験の手順は以下の通りである。
【００６４】
まず、上記実施の形態２において説明した図８の構成を有するヘッドおよび実施の形態３において説明した図９の構成を有するヘッドを作製した（実施例ＡおよびＢ）。これらのヘッド１は、フェース部側中央長方形領域９１に対応するソール部１４のうち、フェース部１１との接続領域（最も前方の領域）を含む領域の肉厚を、トゥ側中央長方形領域９３に対応するソール部１４の最大肉厚、ヒール側中央長方形領域９５に対応するソール部１４の最大肉厚および中央長方形領域９４に対応するソール部１４の最大肉厚の各々よりも大きく設定したものであり、重心から遠く、さらに、基準面に近い位置への質量の付加を可能にすることにより本発明の作用効果を顕著に得ることができる、特に好ましい構成を有している。一方、比較のため、本発明の範囲外のヘッドも作製した（比較例）。図１３は、比較例におけるウッド型ゴルフクラブヘッドの構成を示す概略断面図である。なお、図１３においては、図８および図９の対応する部分を、図８および図９において用いた参照番号に１００を加えた参照番号で示し、その説明を省略する。比較例におけるヘッドは、上記非特許文献１に開示されたヘッドであり、ソール部の後方側（バック側）にバッヂ１３１およびビス１３２が設置され、当該領域に質量が付加されている。ここで、実施例Ａ（図８に対応）のヘッド１において、フェース部側中央部１４１の最大肉厚は３．０ｍｍ、中央部１４２の最大肉厚は０．９ｍｍ、バック側中央部１４３の最大肉厚は２．４ｍｍとした。また、実施例Ｂ（図９に対応）のヘッド１において、フェース部側中央部１４１の最大肉厚は３．０ｍｍ、中央部１４２の最大肉厚は０．９ｍｍとし、バッヂ３１の質量は４．３ｇ、ビス３２の質量は２．３ｇとした。また、比較例（図１３に対応）のヘッド１０１において、フェース部側中央長方形領域１９１および中央長方形領域１９４の各々に対応するソール部１１４の最大肉厚はいずれも１．４ｍｍとし、バッヂ１３１の質量は２．０ｇ、ビス１３２の質量は２．０ｇとした。そして、上記実施例および比較例のヘッドをシャフトに接続し、実打試験を実施した。
【００６５】
次に、試験結果について説明する。表３は、実打試験に供されたクラブおよびヘッドの特性を示す表である。
【００６６】
【表３】
2010099408.tif 000005
【００６７】
表３を参照して、比較例に比べて、実施例においてはクラブ長さを０．５インチ長いものを採用した。これは、ヘッドスピードの上昇による飛距離アップを目的としたものである。そのため、スイングバランスを確保する目的で実施例のヘッド質量は、比較例に比べて５ｇ小さくなっている。ヘッド重量の減少は、可能な質量付加を小さくするため、縦慣性モーメントの増大とＳＳ高さの抑制には不利であるが、本発明の実施例においては、このような厳しい制約の下、比較例と同等の縦慣性モーメントを確保しつつ、ＳＳ高さを低くすることに成功していることが分かる。そして、実打試験の結果、比較例に比べて、実施例のヘッドを備えたクラブによれば、球の上がりやすさ、およびスイートエリアの広さを十分に体感できることが確認された。
【００６８】
なお、本願において、ソール部とは、ウッド型ゴルフクラブヘッドを規定のライ角にてソール部を基準面に接地させた状態において、基準面に投影される領域（図６参照）のうちホーゼル部を除く領域をいう。すなわち、従来のサイド部を含めてソール部と定義する。ここで、近年のヘッドの形状においては、従来のようなサイド部が存在しない場合も多いが、本発明は、サイド部の有無にかかわらず、種々の形状のウッド型ゴルフクラブヘッドに適用可能である。
【００６９】
また、本発明のウッド型ゴルフクラブヘッドを構成する材料としては、チタン合金、ステンレススチール、カーボン繊維強化樹脂など種々の材料を採用することができる。さらに、バッヂ、ビスなどの付属品を構成する材料としても、同様にステンレススチール、アルミ合金、樹脂など種々の材料を採用することができるが、たとえばバッヂの材料としてアルミ合金、ビスの材料としてＪＩＳ規格ＳＵＳ３０３ステンレススチールなどを採用することにより、外観上の高級感を付与することが可能である。
【００７０】
また、本発明のウッド型ゴルフクラブヘッドを構成する材料として、フェース側中央長方形領域に対応するソール部および／またはバック側中央長方形領域に対応するソール部にタングステン合金などの比重の重い材料を採用してもよい。これにより、薄肉化が可能となり、一層ＳＳ高さの低減し、縦慣性モーメントの増大させることが可能となる。
【００７１】
さらに、上記本発明のウッド型ゴルフクラブヘッドにおいて、各長方形領域に対応するソール部の質量は、各長方形領域に対応するソール部を切断等により切り出して、その質量を測定することにより確認することができる。このとき、切断等により失われたソール部の領域に対応する質量を補完して（失われた質量を測定値に加えて）、各長方形領域に対応するソール部の質量は算出される。また、ソール部とソール部以外の部位（フェース部、クラウン部）との分離は、基準面に投影されたソール部の外縁に対応する部位から基準面に平行にヘッドを切断することにより実施される。
【００７２】
さらに、ソール部の最大肉厚に特徴を有する本発明のウッド型ゴルフクラブヘッドは、上記実施例のほか、最大肉厚が本発明の要件を満たしているものであればよく、たとえば上記各長方形領域に対応するソール部の肉厚が局部的に薄くなっていることにより、本発明の範囲外となるものではない。
【００７３】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００７４】
本発明のウッド型ゴルフクラブヘッドおよびウッド型ゴルフクラブは、飛距離の向上と飛距離の安定化とを両立することが求められるウッド型ゴルフクラブヘッドおよびウッド型ゴルフクラブに、特に有利に適用することができる。
【図面の簡単な説明】
【００７５】
【図１】実施の形態１におけるゴルフクラブの構成を示す概略図である。
【図２】図１のゴルフクラブが備えるゴルフクラブヘッドをクラウン部側から見た概略平面図である。
【図３】図１のゴルフクラブが備えるゴルフクラブヘッドをフェース部側から見た概略平面図である。
【図４】図１のゴルフクラブが備えるゴルフクラブヘッドをソール部側から見た概略平面図である。
【図５】図１のゴルフクラブが備えるゴルフクラブヘッドをトゥ部側から見た概略平面図である。
【図６】図１のゴルフクラブが備えるゴルフクラブヘッドを基準面に投影し、ソール部側から見た状態を示す概略図である。
【図７】ウッド型ゴルフクラブヘッドにおける慣性モーメントについて説明するための概略斜視図である。
【図８】実施の形態２におけるウッド型ゴルフクラブヘッドの構成を示す概略断面図である。
【図９】実施の形態３におけるウッド型ゴルフクラブヘッドの構成を示す概略断面図である。
【図１０】実施の形態４におけるウッド型ゴルフクラブヘッドの構成を示す概略平面図である。
【図１１】シミュレーション検証における質量付加の位置を示す図である。
【図１２】実施例１におけるシミュレーションの結果を示す図である。
【図１３】比較例におけるウッド型ゴルフクラブヘッドの構成を示す概略断面図である。
【符号の説明】
【００７６】
１  ヘッド、２  シャフト、３  グリップ部、９  ゴルフクラブ、１１  フェース部、１１Ａ  打球面、１２  クラウン部、１３  ホーゼル部、１４  ソール部、１４Ｂ  溝、２１  スイートスポット（ＳＳ）、２２  重心、３１  バッヂ、３２  ビス、８１  フェース部側線分、８２  バック側線分、８３  ヒール側線分、８４  トゥ側線分、８５〜８８  線分、９１  フェース部側中央長方形領域、９２  バック側中央長方形領域、９３  トゥ側中央長方形領域、９４  中央長方形領域、９５  ヒール側中央長方形領域、１４１  フェース部側中央部、１４２  中央部、１４３  バック側中央部。
【図１】
2010099408.tif 000006
【図２】
2010099408.tif 000007
【図３】
2010099408.tif 000008
【図４】
2010099408.tif 000009
【図５】
2010099408.tif 000010
【図６】
2010099408.tif 000011
【図７】
2010099408.tif 000012
【図８】
2010099408.tif 000013
【図９】
2010099408.tif 000014
【図１０】
2010099408.tif 000015
【図１１】
2010099408.tif 000016
【図１２】
2010099408.tif 000017
【図１３】
2010099408.tif 000018